(57)【要約】【課題】冷蔵庫を提供する。【解決手段】冷蔵庫の外観を形成する外部ケースと、該外部ケース内に配置されて貯蔵室を形成する内部ケースと、断熱のために前記外部ケースと前記内部ケースとの間に埋め込まれた断熱部材と、前記内部ケースの外面と前記断熱部材との間に配置され、前記内部ケースと前記断熱部材間の滑り運動を誘導する騒音低減部材と、を備え、前記断熱部材は、前記温度変化による前記内部ケースの膨脹及び収縮時に、前記内部ケースに対して滑ることができ、前記内部ケースと前記断熱部材との摩擦による摩擦騒音を大幅に低減することができる。【選択図】図２
2007139402.tif 000002
【特許請求の範囲】
【請求項１】
冷蔵庫の外観を形成する外部ケースと、
前記外部ケース内に配置されて貯蔵室を形成する内部ケースと、
断熱のために前記外部ケースと前記内部ケースとの間に埋め込まれた断熱部材と、
前記内部ケースの外面と前記断熱部材との間に配置され、温度変化による前記内部ケースの膨脹及び収縮時に、前記内部ケースと前記断熱部材間の滑り運動を誘導し、前記内部ケースと前記断熱部材との摩擦による摩擦騒音を低減する騒音低減部材と、
を備えることを特徴とする冷蔵庫。
【請求項２】
前記内部ケース内に配置され、前記貯蔵室内部の空気と熱交換しながら貯蔵室内部の空気を冷却する蒸発機をさらに備え、前記騒音低減部材は、前記内部ケースの前記蒸発機に隣接する部分に付着されることを特徴とする請求項１に記載の冷蔵庫。
【請求項３】
前記内部ケースの後面には、前記蒸発機を収容し得るように後方側に凹んだ収容部が形成され、前記騒音低減部材は、前記収容部の外面に付着されることを特徴とする請求項２に記載の冷蔵庫。
【請求項４】
前記騒音低減部材が、
付着される位置に対応するように変形され、その形状を維持する形状フィルムと、
前記形状フィルムの一側に配置され、前記騒音低減部材が前記内部ケースに強く付着されるようにする粘着フィルムと、
前記形状フィルムの他側に配置され、前記断熱部材と接する面が小さい摩擦係数を有するように形成され、前記断熱部材と前記内部ケースの容易な滑り運動を可能にするスリップフィルムと、
を備えることを特徴とする請求項１に記載の冷蔵庫。
【請求項５】
冷蔵庫の外観を形成する外部ケースと、
前記外部ケース内に配置され、貯蔵室を形成する内部ケースと、
断熱のために前記外部ケースと前記内部ケースと間に埋め込まれた断熱部材と、
一側面が前記内部ケースの外面に付着され、他側面が前記断熱部材上を滑るように小さい摩擦係数を有するように形成されることによって、温度変化による前記内部ケースの熱変形時に、前記内部ケースの外面と前記断熱部材との滑り運動を誘導する騒音低減部材と、
を備えることを特徴とする冷蔵庫。
【請求項６】
前記内部ケース内に配置され、前記貯蔵室内部の空気と熱交換しながら貯蔵室内部の空気を冷却する蒸発機をさらに備え、前記騒音低減部材は、前記内部ケースの前記蒸発機に隣接する部分に付着されることを特徴とする請求項５に記載の冷蔵庫。
【請求項７】
前記内部ケースの後面には、前記蒸発機を収容し得るように後方側に凹んだ収容部が形成され、前記騒音低減部材は、前記収容部の外面に付着されることを特徴とする請求項６に記載の冷蔵庫。
【請求項８】
前記騒音低減部材は、騒音低減部材が前記内部ケースに強く付着されるように粘着フィルムで一側面が形成され、前記断熱部材と接触する際に小さい摩擦係数を有し、前記断熱部材と前記内部ケースとの容易な滑り運動を誘導できるようにスリップフィルムで他側面が形成されることを特徴とする請求項５に記載の冷蔵庫。
【請求項９】
前記騒音低減部材は、付着される位置に対応するように変形され、その形状を維持する形状フィルムが、前記粘着フィルムと前記スリップフィルムとの間に配置されることを特徴とする請求項８に記載の冷蔵庫。
【請求項１０】
前記スリップフィルムは、耐熱性材質からなることを特徴とする請求項９に記載の冷蔵庫。
【請求項１１】
前記形状フィルムは、所定厚さの紙からなることを特徴とする請求項９に記載の冷蔵庫。
【請求項１２】
冷蔵庫の外観を形成する外部ケースと、
前記外部ケース内に配置されて貯蔵室を形成する内部ケースと、
前記外部ケースと前記内部ケースとの間に埋め込まれた断熱部材と、
前記内部ケースと前記断熱部材との間に配置され、前記断熱部材に対して滑ることができる騒音低減部材と、
を備えることを特徴とする冷蔵庫。
【請求項１３】
前記内部ケース内に配置され、前記貯蔵室内部の空気と熱交換しながら貯蔵室内部の空気を冷却する蒸発機をさらに備え、前記騒音低減部材は、前記内部ケースの前記蒸発機に隣接する部分に付着されることを特徴とする請求項１２に記載の冷蔵庫。
【請求項１４】
冷蔵庫の外観を形成する外部ケースと、
前記外部ケース内に配置されて貯蔵室を形成し、蒸発機が収容されるように内部に凹部を有する内部ケースと、
前記外部ケースと前記内部ケースとの間に埋め込まれた断熱部材と、
前記断熱部材に接触しながら前記内部ケースの凹部に対応する形状に該凹部の外面に配置され、前記内部ケースと前記断熱部材との摩擦による摩擦騒音を低減させる騒音低減部材と、
を備えることを特徴とする冷蔵庫。
【請求項１５】
前記騒音低減部材は、
騒音低減部材を前記凹部の外面に付着させる粘着フィルムと、
騒音低減部材の形状が前記凹部の形状に対応するようにする形状フィルムと、
前記断熱部材と接触し、騒音低減部材と前記断熱部材間の滑り運動を可能にするスリップフィルムと、
を備えることを特徴とする請求項１４に記載の冷蔵庫。
【請求項１６】
前記スリップフィルムは、耐熱性材質からなることを特徴とする請求項１５に記載の冷蔵庫。
【請求項１７】
前記形状フィルムは、所定厚さの紙からなることを特徴とする請求項１５に記載の冷蔵庫。
【発明の詳細な説明】
【技術分野】
【０００１】
本発明は、冷蔵庫に関し、より詳細には、温度変化による内部ケースの膨脹及び収縮などの熱変形によって内部ケースと断熱部材間に発生する摩擦騒音を低減できる冷蔵庫に関する。
【背景技術】
【０００２】
一般に、従来の冷蔵庫は、冷凍サイクルの蒸発機から冷気を生成し、この冷気を食べ物などの貯蔵物が貯蔵されている貯蔵室に供給することによって、各種貯蔵物の新鮮度を長時間にわたって維持することができる。
【０００３】
かかる従来の冷蔵庫は、本体の外観を形成する外部ケースと、外部ケース内に配置されて貯蔵室を形成する内部ケースと、断熱のために外部ケースと内部ケースとの空間を埋め込む断熱部材と、を備え、内部ケースの内部後方側には、貯蔵室の内部空気との熱交換によって貯蔵室の内部空気を冷却する蒸発機が配置されている（例えば、特許文献１）。
【０００４】
ここで、蒸発機は、貯蔵室内部の空気を冷却できるように普段は極めて低い温度に維持されているが、使用中にその表面に対する除霜が要求されると、ヒーターや高温の冷媒によって加熱されなければならず、蒸発機の温度変化幅が非常に大きかった。
【０００５】
しかしながら、除霜のために蒸発機がヒーターや高温の冷媒によって加熱されたり、除霜が終わって蒸発機が再び低温に復帰すると、蒸発機と隣接している内部ケースの一定部位は、蒸発機の温度の直接的な影響下で大幅に温度の上昇又は下降に伴い膨脹又は収縮するのに対し、内部ケースの外側に密着されている断熱部材は、断熱のために熱伝導率の低いウレタンなどの材質からなっているので温度変化が小さく、よって、膨脹及び収縮などの熱変形もほとんど発生しない。
【０００６】
したがって、従来の冷蔵庫は、除霜のために蒸発機が加熱される場合と除霜が終わって蒸発機に再び低温の冷媒が供給され蒸発機が冷却される場合のように内部ケースの温度が大幅に変化する際に、ほとんど膨脹及び収縮が起こらない断熱部材と膨脹及び収縮が起こる内部ケースの外面との間に摩擦が発生し、摩擦騒音が生じるという問題点があった。
【特許文献１】韓国公開特許公報第２００４−６７６４９号
【発明の開示】
【発明が解決しようとする課題】
【０００７】
本発明は、上記の問題点を解決するためのものであり、その目的は、温度変化による内部ケースの膨脹及び収縮などの熱変形から発生する内部ケースと断熱部材との摩擦及びひいては摩擦騒音を低減できる冷蔵庫を提供することにある。
【課題を解決するための手段】
【０００８】
上記目的を達成するための本発明の一側面による冷蔵庫は、外部ケースと、前記外部ケース内に配置されて貯蔵室を形成する内部ケースと、断熱のために前記外部ケースと前記内部ケースとの間に埋め込まれた断熱部材と、前記内部ケースの外面と前記断熱部材との間に配置され、温度変化による前記内部ケースの膨脹及び収縮時に、前記内部ケースと前記断熱部材間の滑り運動を誘導し、前記内部ケースと前記断熱部材との摩擦による摩擦騒音を低減する騒音低減部材と、を備えることを特徴とする。
【０００９】
上記冷蔵庫は、前記内部ケース内に配置され、前記貯蔵室内部の空気と熱交換しながら貯蔵室内部の空気を冷却する蒸発機をさらに備え、前記騒音低減部材は、前記内部ケースの前記蒸発機に隣接する部分に付着されることを特徴とする。
【００１０】
また、前記内部ケースの後面には、前記蒸発機を収容し得るように後方側に凹んだ収容部が形成され、前記騒音低減部材は、前記収容部の外面に付着されることを特徴とする。
【００１１】
前記騒音低減部材は、付着される位置に対応するように変形され、変形された形状を維持する形状フィルムと、前記形状フィルムの一側に配置され、前記騒音低減部材が前記内部ケースに強く付着されるようにする粘着フィルムと、前記形状フィルムの他側に配置され、前記断熱部材と接する面が小さい摩擦係数を有するように形成され、前記断熱部材と前記内部ケースの容易な滑り運動を可能にするスリップフィルムと、を備えることを特徴とする。
【００１２】
また、本発明の他の側面による冷蔵庫は、外部ケースと、前記外部ケース内に配置されて貯蔵室を形成する内部ケースと、断熱のために前記外部ケースと前記内部ケースとの間に埋め込まれた断熱部材と、一側面が前記内部ケースの外面に付着され、他側面が前記断熱部材上を滑るように小さい摩擦係数を有するように形成されることによって、温度変化による前記内部ケースの熱変形時に、前記内部ケースの外面と前記断熱部材との滑り運動を誘導する騒音低減部材と、を備えることを特徴とする。
【００１３】
本発明のさらに他の側面による冷蔵庫は、外部ケースと、前記外部ケース内に配置されて貯蔵室を形成する内部ケースと、前記外部ケースと前記内部ケースとの間に埋め込まれた断熱部材と、前記内部ケースと前記断熱部材との間に配置され、前記断熱部材に対して滑ることができる騒音低減部材と、を備えることを特徴とする。
【発明の効果】
【００１４】
本発明に係る冷蔵庫は、内部ケースの外面と断熱部材との間に騒音低減部材が配置され内部ケースと断熱部材間の滑り運動を誘導するため、内部ケースが温度変化によって膨脹又は収縮し熱変形されてその長さが変わっても、内部ケースの外面と断熱部材とが互いに滑り運動して摩擦が低減され、その結果、内部ケースの外面と断熱部材の摩擦による摩擦騒音が大幅に低減するという効果が得られる。
【発明を実施するための最良の形態】
【００１５】
以下、本発明に係る冷蔵庫の好適な実施形態について、添付の図面を参照しつつ詳細に説明する。
【００１６】
本発明による冷蔵庫は、図１に示すように、本体１０の外観を形成する外部ケース１１と、外部ケース１１の内側に配置され、食べ物などの貯蔵物の貯蔵のための貯蔵室１２ａを形成する内部ケース１２とを備え、外部ケース１１と内部ケース１２との間には断熱のためにウレタンからなる断熱部材１３が埋め込まれている。
【００１７】
外部ケース１１及び内部ケース１２は、貯蔵室１２ａに食べ物などの貯蔵物を出し入れし得るように前方側が開放されており、本体１０の前面一側にはドア２０がヒンジ結合され、ドア２０が回動しながら貯蔵室１２ａを開閉するようになっている。
【００１８】
本体の内部には、冷媒を高温高圧に圧縮する圧縮機３０、空気と熱交換しながら冷媒を冷却する凝縮機（図示せず）、冷媒を減圧膨脹させる毛細管などの膨脹装置（図示せず）、及び貯蔵室１２ａ内部の空気と熱交換しながら貯蔵室１２ａの内部空気を冷却する蒸発機４０などの冷凍サイクル構成要素が備えられている。
【００１９】
本体１０の下部には、冷凍サイクル構成要素のうち、圧縮機３０、凝縮機及び毛細管などの構成要素を設置し得るように機械室１０ａが設けられており、内部ケース１２の後面には、後方側に凹むように形成された収容部１２ｂが設けられており、この収容部１２ｂ内に蒸発機４０が設置される。
【００２０】
貯蔵室１２ａ内には、各種の貯蔵物を分類して貯蔵できるように、複数の棚１４と収納函１５が設けられており、貯蔵室１２ａの後方側には、蒸発機４０によって冷却された空気を上下に分散するように供給し、各棚１４及び収納函１５に貯蔵された貯蔵物を均一に冷却可能とする冷気流路１２ｃが形成されている。冷気流路１２ｃの途中には、貯蔵室１２ａの空気が冷気流路１２ｃに沿って循環し蒸発機４０で熱交換されるようにする冷却ファンが配置されている。
【００２１】
図２は、図１のＩＩ部分の拡大図であり、同図において、本発明による冷蔵庫は、除霜のために蒸発機４０が高温に加熱される際に内部ケース１２と断熱部材１３とが互いに摩擦することから生じる摩擦騒音を防止するように騒音低減部材５０を備える。
【００２２】
騒音低減部材５０は、内部ケース１２の外面と断熱部材１３との間に配置されるものであり、具体的には、その一側面が内部ケース１２の外面に付着され、他側面が断熱部材１３に接触するように設置されている。このような構成により、騒音低減部材５０は、断熱部材１３と内部ケース１２との間の滑り運動を誘導し、断熱部材１３と内部ケース１２との摩擦及びひいては摩擦騒音を低減することができる。また、蒸発機４０は、内部ケース１２の後面に設けられた収容部１２ｂの内側に設置されており、よって、蒸発機４０の温度が大幅に変化すると収容部１２ｂが変形されるため、本発明では騒音低減部材５０を内部ケース１２の収容部１２ｂの外側面に付着し、収容部１２ｂの外面と断熱部材１３間の摩擦を低減している。
【００２３】
このように内部ケース１２の外面と断熱部材１３との摩擦及びひいては摩擦騒音を低減するべく、図３に示すように、騒音低減部材５０の、内部ケース１２の外面に付着される一側面を、当該騒音低減部材５０が内部ケース１２の外面に付着された状態を維持し得るように粘着フィルム５１で形成し、かつ、断熱部材１３と接触する他側面を、断熱部材１３に対して容易に滑り運動し得るように小さい摩擦係数を有するスリップフィルム５２で形成する。ここで、高温で加熱されて溶融したウレタンを外部ケース１１と内部ケース１２との間に注入し発泡させて断熱部材１３を形成することを考慮し、スリップフィルム５２は熱に強い耐熱性材質とすることが好ましい。
【００２４】
また、この騒音低減部材５０は、付着される部位に対応する形状に容易に変形され、変形後にはその形状をそのまま維持する形状フィルム５３を、粘着フィルム５１とスリップフィルム５２との間にさらに備えてなる。本実施形態において、形状フィルム５３は所定厚さの紙からなり、収容部１２ｂに対応する形状に変形され、収容部１２ｂの外面を確実に包むものとして形成されている。
【００２５】
以下、上記のように構成された本発明の一実施形態による冷蔵庫の動作について説明する。
【００２６】
除霜のためにヒーター（図示せず）及び高温の冷媒で蒸発機４０を加熱すると、蒸発機４０と共に該蒸発機４０の設置されている内部ケース１２の収容部１２ｂの温度も上昇し、よって、内部ケース１２の収容部１２ｂは膨脹する。逆に、除霜が終わり貯蔵室１２ａを冷却するように蒸発機４０に再び低温の冷媒が供給されると、蒸発機４０の温度が大幅に下降し、ひいては蒸発機４０の設置されている内部ケース１２の収容部１２ｂの温度も下降し、よって、内部ケース１２の収容部１２ｂは収縮する。
【００２７】
このように蒸発機４０の温度変化によって収容部１２ｂが膨脹又は収縮しながら変形される際に、収容部１２ｂの外側に配置されている断熱部材１３は、低い熱伝導率に基づき温度変化が小さいためにほとんど膨脹又は収縮することなく、結果として、内部ケース１２の収容部１２のみが膨脹又は収縮しながら断熱部材１３の面に沿って微小に移動する。
【００２８】
この際、内部ケース１２の収容部１２ｂの外面には騒音低減部材５０が付着されており、断熱部材１３は摩擦係数の小さい騒音低減部材５０のスリップフィルム５２に接触しているので、騒音低減部材５０によって内部ケース１２の外面と断熱部材１３との間の滑り運動が誘導され、内部ケース１２の外面と断熱部材１３との摩擦が低減される。
【００２９】
図４には、騒音低減部材５０が適用されなかった従来の冷蔵庫における収容部１２ｂにおいて実験で測定された摩擦騒音の分布を示し、図５には、騒音低減部材５０が適用された本発明の冷蔵庫における収容部１２ｂにおいて実験から測定された摩擦騒音の分布を示す。図４及び図５において、円は、騒音の発生箇所をそれぞれ表示するもので、各円の色が濃いほど発生した騒音が大きいということを意味する。
【００３０】
したがって、図４及び図５に示す円の個数とその色を比較すると、本発明による冷蔵庫における騒音発生頻度が、従来の冷蔵庫におけるそれに比べて大幅に低減し、かつ騒音の大きさも大幅に減少したことがわかる。
【００３１】
また、実験で騒音の発生頻度を測定した結果、蒸発機４０が冷却を始めて貯蔵室１２ａの温度が設定温度に至り停止する時点までを１ｃｙｃｌｅとするとき、従来の冷蔵庫は０．６６／ｃｙｃｌｅの騒音発生率を示すのに対し、本発明による冷蔵庫は０．２６／ｃｙｃｌｅの騒音発生率を示し、騒音発生頻度が大幅に低減したことが確認できた。
【図面の簡単な説明】
【００３２】
【図１】本発明の一実施形態による冷蔵庫を示す断面図である。
【図２】図１のＩＩ部分を拡大した断面図である。
【図３】図１の冷蔵庫に適用された騒音低減部材を示す断面図である。
【図４】従来の冷蔵庫で発生する騒音の頻度及び分布を示す概略図である。
【図５】本発明の一実施形態による冷蔵庫で発生する騒音の頻度及び分布を示す概略図である。
【符号の説明】
【００３３】
１０  本体
１１  外部ケース
１２  内部ケース
１２ａ  貯蔵室
１２ｂ  収容部
１２ｃ  冷気流路
１３  断熱部材
２０  ドア
３０  圧縮機
４０  蒸発機
５０  騒音低減部材
５１  粘着フィルム
５２  スリップフィルム
５３  形状フィルム
【図１】
2007139402.tif 000003
【図２】
2007139402.tif 000004
【図３】
2007139402.tif 000005
【図４】
2007139402.tif 000006
【図５】
2007139402.tif 000007